【手続補正書】
【提出日】令和1年6月18日(2019.6.18)
【手続補正１】
【補正対象書類名】明細書
【補正対象項目名】００１７
【補正方法】変更
【補正の内容】
【００１７】
図２６から理解されるように、本発明の本実施の形態の相手側コネクタ８００は、複数の相手側上側コンタクト８１０と、複数の相手側下側コンタクト８２０と、相手側保持部材８３０と、相手側シェル８４０とを有している。相手側保持部材８３０は、平板部８０５を有しており、相手側上側コンタクト８１０と相手側下側コンタクト８２０とを保持している。相手側上側コンタクト８１０は、平板部８０５の上面上に設けられており、相手側保持部材８３０の前端から上方に延びる上側被固定部８１５を有している。相手側下側コンタクト８２０は、平板部８０５の下面上に設けられており、相手側保持部材８３０の前端から下方に延びる下側被固定部８２５を有している。上側被固定部８１５及び下側被固定部８２５は、基板（図示せず）等に固定される部位である。本実施の形態において、上下方向はＺ方向である。上方は、＋Ｚ方向であり、下方は−Ｚ方向である。相手側シェル８４０は、相手側保持部材８３０を部分的に覆っており、相手側嵌合部８４２を構成している。
【手続補正２】
【補正対象書類名】明細書
【補正対象項目名】００５５
【補正方法】変更
【補正の内容】
【００５５】
図２から図５までに示されるように、複数のコンタクト２００は、上下２列に分けられて幅方向に並ぶように保持部材７００に保持されている。より具体的には、本実施の形態のコンタクト２００は、コンタクト保持部７２０に対して、保持部材７００の後端から前方に向けて圧入されている。ここで、図５から理解されるように、上側のコンタクト列のコンタクト２００は、上下を反転してコンタクト保持部７２０に圧入されている。このとき、コンタクト２００の圧入突起４１３，４２２，４７３，４８２は、コンタクト保持部７２０の幅方向に対向している内壁のうちの一方に食い込んでいる。またこのとき、コンタクト２００の上側主部４１０の縁４１１は、コンタクト保持部７２０の幅方向において対向している内壁のうちの残りの一方と接触しているが、前述のように上側主部４１０の縁４１１は直線状であるため、コンタクト２００をコンタクト保持部７２０内において適切に位置決めすることができる。加えてこのとき、コンタクト２００の第２支持部３２０の底面は、保持部材７００と接触していない。
【手続補正３】
【補正対象書類名】明細書
【補正対象項目名】００６６
【補正方法】変更
【補正の内容】
【００６６】
図１９から図２２までに示されるように、第１支持部３００Ｃは、幅方向において第１縁部３０３Ｃと第２縁部３０４Ｃとを有している。ここで、第１縁部３０３Ｃは、幅方向において第１方位に向いており、第２縁部３０４Ｃは、幅方向において第２方位に向いている。本実施の形態において、第１方位は−Ｙ方向であり、第２方位は＋Ｙ方向である。即ち、第１方位及び前記第２方位は、互いに逆方位である
【手続補正４】
【補正対象書類名】明細書
【補正対象項目名】００６９
【補正方法】変更
【補正の内容】
【００６９】
図１９、図２０及び図２２に示されるように、第２支持部３２０Ｃは、第２平板部３２７Ｃと、返し部３２８Ｃとを有している。第２平板部３２７Ｃは、幅方向と直交する平板形状を有している。返し部３２８Ｃは、第２平板部３２７Ｃの前端から後方且つ上方に延びている。返し部３２８Ｃは、前後方向及び上下方向の双方と斜交する後縁３２９Ｃを有している。即ち、第２支持部３２０Ｃは、幅方向から見た場合に片矢印形状を有している。第２接点部３２２Ｃは、返し部３２８Ｃの上端に位置している。
【手続補正５】
【補正対象書類名】明細書
【補正対象項目名】００７７
【補正方法】変更
【補正の内容】
【００７７】
図１９から図２２までに示されるように、第１支持部３００Ｃは、上側前方幅広部４１２Ｃから前後方向において前方に延びている。より具体的には、第１支持部３００Ｃの傾斜部３０５Ｃは、上側前方幅広部４１２Ｃの前端から前方且つ下方に延びている。
【手続補正６】
【補正対象書類名】明細書
【補正対象項目名】００８６
【補正方法】変更
【補正の内容】
【００８６】
図１９から図２２までに示されるように、上側後方幅広部４２１Ｃは、前後方向において上側後方幅狭部４１９Ｃの後方に位置している。上側後方幅広部４２１Ｃは、幅方向において第１方位に突出した圧入突起４２２Ｃを有している。図１７に示されるように、上側後方幅広部４２１Ｃは、幅方向において移動できないように保持部材７００Ｃに固定されている。具体的な固定方法については後述する。上側後方幅広部４２１Ｃにおいて、圧入突起４２２Ｃの幅方向における先端は、第１方位側の端部４２３Ｃとなっている。上側後方幅広部４２１Ｃの第１方位側の端部４２３Ｃは、上側曲げ部４４０Ｃよりも第１方位側に位置している。より具体的には、上側後方幅広部４２１Ｃの圧入突起４２２Ｃの端部４２３Ｃは、上側曲げ部４４０Ｃの第１方位に向いている縁４４２Ｃよりも第１方位側に位置している。
【手続補正７】
【補正対象書類名】明細書
【補正対象項目名】００８９
【補正方法】変更
【補正の内容】
【００８９】
図１６から図１８までに示されるように、複数のコンタクト２００Ｃは、上下２列に分けられて幅方向に並ぶように保持部材７００Ｃに保持されている。より具体的には、本実施の形態のコンタクト２００Ｃは、コンタクト保持部７２０Ｃに対して、保持部材７００Ｃの後端から前方に向けて圧入されている。ここで、図１８から理解されるように、上側のコンタクト列のコンタクト２００Ｃは、上下を反転してコンタクト保持部７２０Ｃに圧入されている。このとき、コンタクト２００Ｃの圧入突起４１３Ｃ，４２２Ｃは、コンタクト保持部７２０Ｃの幅方向に対向している内壁のうちの一方に食い込んでいる。またこのとき、上側主部４１０Ｃの縁４１１Ｃは、コンタクト保持部７２０Ｃの幅方向において対向している内壁のうちの残りの一方と接触しているが、前述のように上側主部４１０Ｃの縁４１１Ｃは直線状であるため、コンタクト２００Ｃをコンタクト保持部７２０Ｃ内において適切に位置決めすることができる。
【手続補正８】
【補正対象書類名】明細書
【補正対象項目名】００９０
【補正方法】変更
【補正の内容】
【００９０】
図１５から図１８及び図２６から理解されるように、本実施の形態のコネクタ１００Ｃのコネクタ本体１１０Ｃは、相手側コネクタ８００と嵌合した際には、コネクタ本体１１０Ｃの上側のコンタクト列のコンタクト２００Ｃの第１支持部３００Ｃの第１接点部３０２Ｃ及び第２支持部３２０Ｃの第２接点部３２２Ｃが、相手側コネクタ８００の相手側上側コンタクト８１０と接触し、コネクタ本体１１０Ｃの下側のコンタクト列のコンタクト２００Ｃの第１支持部３００Ｃの第１接点部３０２Ｃ及び第２支持部３２０Ｃの第２接点部３２２Ｃが、相手側下側コンタクト８２０と、夫々接触する。この際、第１支持部３００Ｃの隆起部３０８Ｃの自由端と、第２支持部３２０Ｃの返し部３２８Ｃの後縁３２９Ｃとは、接触してはいない。即ち、コネクタ本体１１０Ｃと相手側コネクタ８００とが嵌合した際には、上側のコンタクト列のコンタクト２００Ｃの第１接点部３０２Ｃと第２接点部３２２Ｃの双方が、相手側上側コンタクト８１０に対して同時に接触し、下側のコンタクト列のコンタクト２００Ｃの第１接点部３０２Ｃと第２接点部３２２Ｃの双方が、相手側下側コンタクト８２０に対して同時に接触している状態となり、確実かつ安定した接触が確保される。